(57)【要約】【課題】  動的に変化する歩行ステップに対応して選曲する楽曲再生装置を提供する。【解決手段】  携帯用楽曲再生装置Ａは、歩調解析によって得た検索用のリズム情報と、楽曲ＤＢ内の楽曲のリズム情報とのマッチングによる楽曲の検索（１ａ）を行う検索部１と、検索対象となる楽曲を格納する楽曲データベース３と、入力リズムに近いリズムの楽曲を複数リストアップする（５ａ）楽曲リスト５と、リストの中から選曲し再生する（７ａ）楽曲再生部７と、歩行ステップを感知する（１５ａ）歩行ステップ検知部１５と、入力された歩行ステップを解析し、検索したいリズムを抽出する（１３ａ）歩行ステップ解析部１３と、を有している。歩行ステップ解析部１３からの検索用リズム情報１１は、検索部１に入力される。楽曲データ３ａの検索用リズム情報３ａ−４は、楽曲データベース３を楽曲解析８した結果得られる。楽曲データ３ａは、楽曲名３ａ−１と、アーティスト名３ａ−２と、アルバム名３ａ−３と、検索用リズム情報３ａ−４と、が含まれる。【選択図】  図１
2006301276.tif 000002
【特許請求の範囲】
【請求項１】
携帯用音楽再生装置であって、
楽曲データを蓄積する楽曲データベースと、
前記携帯用音楽再生装置に伝わる振動を検出する振動検出手段と、
検出された振動に応じたテンポを抽出するテンポ抽出手段と、
抽出されたテンポに基づいて、前記楽曲データベース内の複数の楽曲データの中から抽出された前記テンポに相応しい曲を選曲する選曲手段と、
該選曲手段により選曲された曲を再生する再生手段と
を有する携帯用音楽再生装置。
【請求項２】
前記振動検出手段は、歩行に関連する振動のテンポの変化を監視し、変化に応じて楽曲の検索をし直すことを特徴とする請求項１に記載の携帯用音楽再生装置。
【請求項３】
前記携帯用音楽再生装置に伝わる振動は、歩行ステップによる振動であることを特徴とする請求項１又は２に記載の携帯用音楽再生装置。
【請求項４】
抽出された前記テンポに相応しい曲を複数リストアップして提示することを特徴とする請求項１から３までのいずれか１項に記載の携帯用音楽再生装置。
【請求項５】
前記テンポ抽出手段は、一定時間以上、振動の検出の一時停止が継続された場合には、選曲を更新することを特徴とする請求項１から４までのいずれか１項に記載の携帯用音楽再生装置。
【請求項６】
前記歩行ステップによる振動の間隔が、予め設定されたある上限値を越える場合又は下限値を下回る場合には、歩行していないとみなす請求項３から５までのいずれか１項に記載の携帯用音楽再生装置。
【請求項７】
前記テンポ抽出手段は、予め設定されたテンポに関する特徴に基づいてテンポを抽出することを特徴とする請求項１から６までのいずれか１項に記載の携帯用音楽再生装置。
【請求項８】
過去の一定期間の歩行ステップを取得するステップと、
該歩行ステップから検索用テンポを決定するステップと、
検索用テンポに基づいて楽曲を抽出するステップと、
抽出された楽曲を再生するステップと
を有することを特徴とする楽曲再生方法。
【請求項９】
過去の一定期間の歩行ステップを取得するステップと、
該歩行ステップから検索用テンポを決定するステップと、
検索用テンポに基づいて相応しい楽曲リストを抽出するステップと、
抽出された楽曲リストに基づいて再生する曲を選択し再生するステップと
を有することを特徴とする楽曲再生方法。
【請求項１０】
コンピュータに請求項８又は９に記載のステップを実行させるためのプログラム。
【請求項１１】
携帯用音楽再生装置であって、
前記携帯用音楽再生装置に伝わる振動を検出する振動検出手段と、
抽出された振動に基づいて、前記楽曲データベース内の複数の楽曲データの中から抽出された前記振動に相応しい曲を選曲する選曲手段と
を有する携帯用音楽再生装置。
【発明の詳細な説明】
【技術分野】
【０００１】
本発明は、携帯用の楽曲再生装置に関し、特に、歩行と関連する楽曲を選曲して再生する装置に関する。
【背景技術】
【０００２】
近年、携帯型の音楽再生装置の普及が盛んになってきており、種々の便利な機能が付加されるようになってきている。例えば、特許文献１に記載の補助運動装置は、運動者の身体情報とウォーキングコースの特徴情報に基づいて歩行ピッチを算出し、その歩行ピッチとほぼ一致する音楽データをリスト表示し、そのテンポを算出した歩行ピッチと一致するテンポに変更して音楽を再生する装置を開示する。また、特許文献２に記載の楽音生成装置及び方法 においては、 歩行ステップを検出し、歩行ステップに応じたテンポで演奏データを再生させる。特許文献３に記載の楽音生成装置は、大容量の記録媒体に記録されている多数の楽曲データから、入力リズムに基づいて楽曲データを検索するものである。
【０００３】
【特許文献１】特開２００４−１１３５５２号公報
【特許文献２】特開２００４−２４０２５２号公報
【特許文献３】国際公開  ＷＯ２００２／０４７０６６号公報
【発明の開示】
【発明が解決しようとする課題】
【０００４】
しかしながら、上記特許文献１に記載の補助運動装置では、動的に変化する歩行ステップに対応して選曲することが出来ない。また、特許文献２に記載の楽音生成装置は、歩行中の、歩行ステップ変化、停止などの動作に対応できない。また歩行ステップに応じたテンポで楽曲を演奏するため、歩行ステップによって楽曲の雰囲気が大きく変わってしまう。すなわち、動的に変化する入力について考慮していないという問題がある。特許文献３に記載の装置では、入力リズムに基づいて楽曲データを検索するものであり、動的に変化する歩行ステップに対応して選曲することを意図していない。
【０００５】
すなわち、１）目標とする歩行ピッチを、入力したデータをもとに算出しており、実際の歩行ピッチに合う楽曲が選曲されるとは限らない。データを入力しなければならない。２）検出された歩行ステップに応じて楽曲を補正する手段。複数の曲からの検索は行わず、歩調に応じて楽曲が変化してしまう。３）動的に変化する歩行ステップに対応していない。などの問題がある。
【０００６】
本発明は、動的に変化する歩行ステップに対応して選曲する楽曲再生装置を提供することを目的とする。
【課題を解決するための手段】
【０００７】
本発明による携帯用楽曲再生装置は、装置本体に伝わる歩行に関連する振動をテンポとして捉えてテンポを検出するテンポ検出手段と、検出された振動に応じたテンポを抽出するテンポ抽出手段と、テンポに基づいて、複数の楽曲データの中からテンポに相応しい曲を選曲し再生する手段と、を有する音楽再生装置である。例えば、装置本体に伝わる振動を検出し、その振動のテンポにマッチした曲を楽曲ＤＢから複数検索してプレイリストを作成し、再生する。振動のリズムが変化すれば検索しなおす。尚、検出された振動に応じたテンポを抽出するとは、例えば、図４から６で説明するように歩行ステップと近似したテンポを求めることである。
【発明の効果】
【０００８】
本発明による携帯用楽曲再生装置は、使用者の歩行のテンポに応じたテンポを有する楽曲を自動的に選曲するため、歩行に関連するテンポに反映される気分にふさわしい楽曲を歩行することが出来る。すなわち、音楽と、実際の行動・状況と、がリンク付けされ、楽しく音楽が聴ける。また、ユーザの操作を必要とせずに、すなわち手間をかけることなく利用シーンに合った楽曲を再生できる。聞きたいテンポの振動を加えることによって、手などにより操作を行わなくても簡単に楽曲を選曲できるという利点がある。
【発明を実施するための最良の形態】
【０００９】
本明細書において、抽出されたテンポに相応しい曲とは、歩行ステップのテンポと同じ又は近似したテンポを有する曲という意味である。基本的に、歩行ステップの１ステップを１テンポとするが、歩行ステップの１ステップをｎテンポ、もしくは１／ｎテンポとしてもよい（ｎは正の整数）。
【００１０】
以下、本発明の一実施の形態による携帯用楽曲再生装置について図面を参照しつつ説明を行う。図１及び図２は、本実施の形態による携帯用楽曲再生装置の構成例を示す機能ブロック図である。図１に示すように、本実施の形態による携帯用楽曲再生装置Ａは、例えば、ユーザの腰又は足に付着させたり、上着またはズボンのポケットなどに入れたりするものである。そして、携帯用楽曲再生装置Ａは、歩調解析によって得た検索用のリズム情報と、楽曲ＤＢ内の楽曲のリズム情報とのマッチングによる楽曲の検索（１ａ）を行う検索部１と、検索対象となる楽曲を格納する楽曲データベース３と、入力リズムに近いリズムの楽曲を複数リストアップする（５ａ）楽曲リスト５と、リストの中から選曲し再生する（７ａ）楽曲再生部７と、歩行ステップを感知する（１５ａ）歩行ステップ検知部１５と、入力された歩行ステップを解析し、検索したいリズムを抽出する（１３ａ）歩行ステップ解析部１３と、を有している。歩行ステップ解析部１３からの検索用リズム情報１１は、検索部１に入力される。楽曲データ３ａの検索用リズム情報３ａ−４は、楽曲データベース３を楽曲解析８した結果得られる。楽曲データ３ａは、楽曲名３ａ−１と、アーティスト名３ａ−２と、アルバム名３ａ−３と、検索用リズム情報３ａ−４と、が含まれる。尚、検索用のリズム情報を予めＤＢに格納しておいても良く、或いは、ＤＢからリズム情報を抽出しても良い。また、リスト再生を行わない場合は、楽曲リスト５はなくても良く、検索部１で検索された楽曲を楽曲再生部７でそのまま再生する。
【００１１】
図２は、本実施の形態による携帯用楽曲再生装置の全体構成例を示す図である。図２に示すように、本実施の形態による携帯用楽曲再生装置は、装置全体の制御を行う制御部２１と、楽曲データ、検索用リズムデータを格納する記憶部２２と、楽曲を再生する再生ボタンなどの操作部２３と、歩行ステップを感知する検出装置２４と、楽曲情報を表示する表示部２５と、楽曲を出力する音声出力部２６と、過去の歩行ステップ情報を記憶し、制御プログラムなどを記憶し、検索用リズムデータを格納し、検索結果（楽曲リスト）を格納するメモリ２７と、を有している。記憶部２２は、制御部２１との間で、楽曲検索・リスト抽出し、楽曲解析し、検索用リズムデータを抽出し、これらを記憶する。検出装置２４は、歩行ステップ解析と検索用リズムを抽出とを行う。
【００１２】
次に、歩行ステップに基づく解析手法について説明する。図３、図４、図５では、横軸を時間、縦軸をテンポとする。
【００１３】
図３に示すように、一定時間（閾値）以上、テンポに関する一時停止状態が続く場合に、停止とみなして、楽曲リストを更新する。図４に示すように、歩行ステップの間隔が、予め設定したある上限値を越える場合、及び、下限値を下回る場合は、歩行していないとみなす。この場合には、一時停止とみなし、一時停止とはみなされない部分だけを基にして、検索用入力テンポデータを決定する。
【００１４】
図５は、歩行中の歩行テンポの変化と、歩数、時間と、それぞれの大小関係の例を示す図である。図５に示すように、テンポＡ＿１、Ａ＿２、Ａ＿３で、それぞれ所定の時間Ｔ＿１、Ｔ＿２、Ｔ＿３、歩数Ｐ＿１、Ｐ＿２、Ｐ＿３だけ歩いた場合を表している。図５を参照し、検索入力テンポデータを決定する例を説明する。
【００１５】
歩数により検索用入力テンポデータを決定する例を説明する。この場合、過去一定期間で、歩数の最も多かったテンポを検索用入力テンポデータとする。図５の例では、Ｐ＿１が最大テンポとなっているので、テンポＡ＿１の曲が選曲される。このように、歩行者は特別な操作なしにテンポを選択して、歩調に合った曲を選曲することが出来る。
【００１６】
次に、時間により検索用入力テンポデータを決定する例について説明する。この場合には、過去一定期間の中で、最も長く歩いたテンポを検索用入力テンポデータとする。図５の例では、Ｔ＿３が最も大きくなっているため、テンポＡ＿３の曲が選曲される。
【００１７】
また、過去一定期間の平均テンポにより検索用入力テンポデータを決定することも可能である。過去一定期間の平均テンポは過去一定期間の歩数と時間によって算出される。テンポＡと歩数Ｐ、時間Ｔの間に、例えば、
Ｐ＝ＡＴ
の関係があるとすると、この場合の平均テンポは（Ｐ＿１＋Ｐ＿２＋Ｐ＿３）／（Ｔ＿１＋Ｔ＿２＋Ｔ＿３）となる。
【００１８】
尚、上記の検索用入力テンポデータの決定手法に対して重み付けを適用することも可能である。この場合の例について図６を参照して説明する。図６に示す例は、歩数により検索用入力テンポデータを決定する方法に対して重み付け処理を付加した例を示す図である。
【００１９】
図６の上部の図は、横軸を時間とし縦軸をテンポとしており、横軸上の黒点は歩行ステップを表している。図６の下部の図は、横軸を時間とし、縦軸を重みとし、黒点は歩行ステップの刻みタイミングを表している。例えば、図６において、ある歩行ステップｐ＿３’に、その時点での重みＷ’を付加した値は、
ｐ＿３’×ｗ’
となる。
【００２０】
各テンポにおける歩行ステップ毎にこの値を計算し、その総和が最大となるテンポが検索用入力テンポデータとして決定される。これにより、最近の歩行ステップを重視した検索入力用テンポデータを決定することができる。
【００２１】
尚、重み付け関数は、図６の上図の形に限られるものではなく、用途に応じて適宜変更してもよい。また、上の例のように、歩数に対して時間的な重み付けを付加してもよいし、時間や特定のテンポに対して重み付けを行ったり、ステップの強弱などで重み付けを行ったりしてもよい。
【００２２】
図７は、本実施の形態による携帯用楽曲再生装置における選曲処理の流れを示す図である。図７に示すように、まず、ステップＳ１において処理を開始し、ステップＳ２において過去の一定期間の歩行ステップ情報から検索用入力テンポを決定する。ステップＳ３において、ステップＳ２で決定した検索用入力テンポと、以前の検索用入力テンポを比較し、テンポが同じである場合は、ステップＳ５へ進み、以前のリストから選曲を行う。テンポが異なる場合及び以前の検索用入力テンポがない場合には、ステップＳ４に進む。
【００２３】
ステップＳ４において検索用入力テンポに基づいて、楽曲ＤＢを検索し、入力テンポに近いテンポの楽曲をリストアップする。次いで、ステップＳ５においてリストから選曲する。ステップＳ６において選択された楽曲を再生する。ステップＳ７において再生中に頭出しやリスト更新などの楽曲変更の入力操作がなされた場合には、ステップＳ２に戻る。また、入力操作により終了命令があった場合には、Ｓ１０において処理を終了する。入力操作のないまま楽曲の再生が終了した場合には、ステップＳ２に戻り、再び検索用入力テンポを決定しなおす。尚、リスト再生を行わない場合は、ステップＳ３、Ｓ５をスルーしてもよく、その場合は、ステップＳ４では、検索用入力テンポに近い楽曲を楽曲データベースから選択する。
【００２４】
図８は、本実施の形態による携帯用楽曲再生装置における別の選曲処理の流れを示す図である。図８に示すように、まず、ステップＳ１１において処理を開始し、ステップＳ１２において過去の一定期間の歩行ステップを情報から検索用入力テンポを決定する。ステップＳ１３において、ステップＳ１２で決定した検索用入力テンポと以前の検索用入力テンポとを比較し、テンポが同じである場合はステップＳ１５へ進み、以前のリストから選曲を行う。テンポが異なる場合及び以前の検索用入力テンポがない場合には、ステップＳ１４に進む。ステップＳ１４において検索用入力テンポに基づいて、楽曲ＤＢを検索し、入力テンポに近いテンポの楽曲をリストアップする。
【００２５】
次いで、ステップＳ１５においてリストから選曲する。ステップＳ１６において選択された楽曲を再生する。ステップＳ１７において、リスト更新命令がなされた場合は、ステップＳ１２に戻り、再度、検索用入力テンポを決定する。ステップ１８において、頭出しなどの再選曲命令がなされた場合はステップＳ１５に戻り、楽曲リストの中から再選曲を行う。ステップＳ１９において、終了命令がなされた場合には、ステップＳ２１において処理を終了する。入力操作のない場合には、楽曲の再生を続け、ステップＳ２０において再生が終了すれば、ステップＳ１５に戻り、リストの中から再選曲を行う。
【００２６】
以上に説明したように、本実施の形態による携帯用楽曲再生装置によれば、検出装置によって装置本体に伝わる振動に基づいて歩行ステップを検出し、過去のある期間の歩行ステップをメモリに保存する。制御部は、過去一定期間の歩行ステップを解析し、検索用入力テンポを生成する。生成した検索用入力テンポに合ったテンポの楽曲を記憶部に格納されている複数の楽曲の中からいくつかリストアップする。リストアップされた楽曲の中から次に再生する楽曲を選択する。選択された楽曲を音声出力部で出力し、表示部で選択された楽曲の情報を表示する。
【００２７】
また、過去一定期間の歩行ステップから検索用入力テンポを生成する方法としては、一時停止状態として、停止、一時停止状態の判断歩行ステップの間隔が、あらかじめ設定したある上限値を越える場合、および下限値を下回る場合は歩行していないとみなす。この場合はステップを検出しない。停止状態一定時間以上、一時停止状態が続く場合は、停止状態とみなし、リストを更新する。通常歩行ステップにならないテンポの曲をリストに更新しても良い。
【００２８】
また、現在の気分とは関係しないステップであって、例えば、自分が次に聞きたい楽曲のテンポに合わせて歩行ステップを踏むことで、選曲することも可能である。
【産業上の利用可能性】
【００２９】
本発明は、携帯用の楽曲再生装置に利用できる。例えば、音楽再生専用機、携帯電話機、ＰＣなどの兼用機にも適用可能である。
【図面の簡単な説明】
【００３０】
【図１】本発明の一実施の形態による携帯用楽曲再生装置の構成例を示す機能ブロック図である。
【図２】本発明の一実施の形態による携帯用楽曲再生装置の構成例を示す機能ブロック図である。
【図３】図３は、歩行ステップに基づく解析手法であって、横軸を時間、縦軸をテンポとした図である。
【図４】図４は、歩行ステップに基づく解析手法であって、横軸を時間、縦軸をテンポとした図である。
【図５】図５は、は歩行中の歩行テンポの変化と歩数、時間と、それぞれの大小関係の例を示す図である。
【図６】重み付けを行う場合の例を示す図である。
【図７】本実施の形態による携帯用楽曲再生装置における選曲処理の流れを示す図である。
【図８】本実施の形態による携帯用楽曲再生装置における選曲処理の流れを示す図である。
【符号の説明】
【００３１】
Ａ‥携帯用楽曲再生装置、１‥検索部、３‥楽曲データベース、５‥楽曲リスト、７‥楽曲再生部、１１‥検索用リズム情報、１３‥歩行ステップ解析部、１５‥歩行ステップ検知部、２１‥制御部、２２‥楽曲データ、検索用リズムデータを格納する記憶部、２３‥楽曲を再生する再生ボタンなどの操作部、２４‥歩行ステップを感知する検出装置、２５‥楽曲情報を表示する表示部、２６‥楽曲を出力する音声出力部、２７‥メモリ。
【図１】
2006301276.tif 000003
【図２】
2006301276.tif 000004
【図３】
2006301276.tif 000005
【図４】
2006301276.tif 000006
【図５】
2006301276.tif 000007
【図６】
2006301276.tif 000008
【図７】
2006301276.tif 000009
【図８】
2006301276.tif 000010